(57)【要約】【課題】  ランセットの再使用を確実に防止する。【解決手段】  ハウジング（２０）と、このハウジング（２０）内に移動自在に配置された突き刺し先端（２５）を備え、発射準備完了状態位置と突き刺し状態位置との間で移動するようになっているランセット（２４）と、前記ランセット（２４）を突き刺し状態位置に移動させるようになっている駆動アセンブリとを備えた、１回使用のランセット装置（１０）である。係止部材と係合ハブとが更に設けられており、これらはランセットが発射準備完了状態位置に配置された時に互いに協働して係合し、ランセットが作動アセンブリ（４０）により解放されるまで、ランセットを発射準備完了状態位置に維持するようになっている。特に作動アセンブリ（４０）は、作動状態位置と非作動状態位置との間で移動するようになっており、作動状態位置への移動によって、係止部材と係合ハブとの相互の協働的係合が解放され、その結果、ランセットは突き刺し状態位置に移動する。本装置は、作動アセンブリが作動状態位置から移動するのを実質的に防止し、作動アセンブリを利用して、ランセットが再発射されるのを防止するようになっている拘束器も備えている。
2005511191.tif 000002
【特許請求の範囲】
【請求項１】
ａ）ハウジングと、
ｂ）前記ハウジング内に移動自在に配置され、突き刺し先端を含むランセットと、
ｃ）前記ハウジングに取り付けられ、前記ランセットに解放自在かつ駆動自在に接続された作動アセンブリとを備え、
ｄ）前記作動アセンブリが、前記ランセットを少なくとも発射準備完了状態位置に配置させるように選択的に移動させることができ、
ｅ）前記ランセットと駆動状態に係合するように配置されており、前記ランセットを、前記発射準備完了状態位置から少なくとも一時的に突き刺し状態位置に移動させるようになっている駆動アセンブリと、
ｆ）前記ランセットの前記突き刺し状態位置から、前記発射準備完了状態位置への移動を拘束するようになっている拘束アセンブリとを備える、１回使用のランセット装置。
【請求項２】
前記ランセットが前記突き刺し状態位置に配置された後に、前記駆動アセンブリが、更に前記突き刺し先端を後退状態位置に配置させるようになっている、請求項１記載のランセット装置。
【請求項３】
前記ランセットが、一旦前記発射準備完了状態位置に位置されると、前記ランセットと押圧係合する状態に配置される押圧部材を、前記駆動アセンブリが含む、請求項２記載のランセット装置。
【請求項４】
前記押圧部材が、前記ランセットを前記突き刺し状態位置から移動させ、前記突き刺し先端を前記後退状態位置に配置させるようになっている、請求項３記載のランセット装置。
【請求項５】
前記ランセットが前記作動アセンブリから解放された時に、前記駆動アセンブリが前記ランセットを前記突き刺し状態位置に移動させるようになっている、請求項１記載のランセット装置。
【請求項６】
前記ランセットが前記突き刺し状態位置に配置された後に、前記駆動アセンブリが、前記突き刺し先端を自動的に後退状態位置まで配向させるようになっている、請求項５記載のランセット装置。
【請求項７】
前記作動アセンブリと前記ランセットとを、移動自在かつ解放自在に相互接続する位置決めアセンブリを更に含む、請求項１記載のランセット装置。
【請求項８】
前記ランセットが、前記発射準備完了状態位置状態に配置されている時に、前記位置決めアセンブリが、前記作動アセンブリおよび前記ランセットの双方と同時に係合する状態に配置されるようになっている、請求項７記載のランセット装置。
【請求項９】
前記位置決めアセンブリが、前記作動アセンブリまたはランセットのうちの少なくとも１つから解放された時に、前記ランセットを前記突き刺し状態位置に移動させるよう、前記駆動アセンブリと位置決めアセンブリとが協働自在となっている、請求項８記載のランセット装置。
【請求項１０】
前記位置決めアセンブリが、前記ランセットおよび前記作動アセンブリとの同時係合から外れるように変位した時に、前記ランセットが、前記発射準備完了状態位置から前記突き刺し状態位置に位置決めされるようになっている、請求項７記載のランセット装置。
【請求項１１】
前記位置決めアセンブリが、前記ランセットと前記作動アセンブリとを移動自在かつ解放自在に相互接続する少なくとも１つの位置決め部材を含む、請求項７記載のランセット装置。
【請求項１２】
前記ランセットが前記発射準備完了状態位置に移動する時に、前記位置決め部材が、前記ランセットおよび前記作動アセンブリの双方と同時に係合するようになっており、前記位置決め部材が前記発射準備完了状態位置から前記突き刺し状態位置に移動する時に、前記ランセットおよび作動部材のうちの少なくとも一方から、前記位置決め部材が外れるようになっている、請求項１１記載のランセット装置。
【請求項１３】
前記位置決め部材が、前記ランセットおよび前記作動アセンブリの双方に対して移動自在である、請求項１２記載のランセット装置。
【請求項１４】
前記位置決め部材が、前記作動アセンブリに対して固定されており、前記ランセットに対して移動自在かつ取り外し自在に配置されている、請求項１２記載のランセット装置。
【請求項１５】
前記位置決め部材がギア構造体を含む、請求項１２記載のランセット装置。
【請求項１６】
前記位置決め部材が、前記ランセットおよび前記作動アセンブリの双方に対して移動自在である、請求項７記載のランセット装置。
【請求項１７】
前記位置決め部材が、前記作動アセンブリに対して固定されており、前記ランセットに対して移動自在かつ取り外し自在に配置されている、請求項７記載のランセット装置。
【請求項１８】
前記位置決め部材がギア構造体を含む、請求項７記載のランセット装置。
【請求項１９】
前記拘束アセンブリが、少なくとも１つの拘束部材および少なくとも１つの停止部材を含み、前記１つの拘束部材が、前記ランセットまたは作動部材のうちの１つに接続されて、これらと共に移動自在であり、前記停止部材が、前記ハウジングに固定されており、前記ランセットが、前記突き刺し状態位置から前記発射準備完了状態位置に向かって移動する時に、前記停止部材が前記ハウジングに固定されており、前記１つの拘束部材に対して当接した状態に配置されるようになっている、請求項１記載のランセット装置。
【請求項２０】
前記１つの拘束部材が、前記ランセットに固定されており、このランセットと共に移動自在である、請求項１９記載のランセット装置。
【請求項２１】
前記１つの拘束部材が、前記作動アセンブリに固定されており、この作動アセンブリと共に移動自在である、請求項１９記載のランセット装置。
【請求項２２】
前記拘束アセンブリが、第１拘束部材と、第１停止部材と、第２拘束部材と、第２停止部材とを備え、前記第１および第２拘束部材の各々が、前記ランセットまたは作動アセンブリのうちの異なる一方に接続されていて、これと共に移動自在であり、前記第１停止部材および第２停止部材が、前記ハウジングに固定されており、前記ランセットが前記突き刺し状態位置から前記発射準備完了状態位置に移動する時に、前記第１拘束部材または第２拘束部材のうちの対応する一方に対して、当接状態に配置されるようになっている、請求項１記載のランセット装置。
【請求項２３】
ａ）ハウジングと、
ｂ）前記ハウジング内に移動自在に配置されており、突き刺し先端を含むランセットと、
ｃ）前記ハウジングに取り付けられており、前記ランセットに解放自在かつ駆動自在に接続された作動アセンブリとを備え、
ｄ）前記作動アセンブリと前記ランセットとを、移動自在かつ解放自在に相互接続する位置決めアセンブリとを備え、前記作動アセンブリが、前記ランセットを少なくとも発射準備完了状態位置に配置させるように選択的に位置決め可能となっており、
ｅ）前記作動アセンブリが、前記ランセットを少なくとも発射準備完了状態位置に配置するように選択的に位置決めできるようになっており、
ｆ）前記ランセットに対して押圧状態に配置されており、前記ランセットを少なくとも一時的に突き刺し状態位置に位置決めするようになっている駆動アセンブリとを備え、
ｇ）前記位置決めアセンブリが、前記作動アセンブリまたは前記ランセットのうちの少なくとも一方から解放される時に、前記駆動アセンブリと前記位置決めアセンブリとが協働して、前記ランセットを前記突き刺し状態位置に移動させるようになっている、１回使用のランセット装置。
【請求項２４】
前記位置決めアセンブリが、前記ランセットと前記作動アセンブリとを移動自在かつ解放自在に相互接続する少なくとも１つの位置決め部材を含む、請求項２３記載のランセット装置。
【請求項２５】
前記ランセットが、前記発射準備完了状態位置に移動する時に、前記位置決め部材が、前記ランセットおよび前記作動アセンブリの双方と同時に係合するように配置されており、前記位置決め部材が、前記発射準備完了状態位置から前記突き刺し状態位置に移動する時に、前記ランセットおよび作動部材のうちの少なくとも一方から前記位置決め部材が外れるようになっている、請求項２４記載のランセット装置。
【請求項２６】
前記駆動アセンブリが、前記ランセットを前記突き刺し状態位置から移動させ、前記突き刺し先端を前記後退状態位置に配置させるようになっている、請求項２３記載のランセット装置。
【請求項２７】
前記突き刺し状態位置から前記発射準備完了状態位置への前記ランセットの移動を制限するようになっている拘束アセンブリを更に含む、請求項２３記載のランセット装置。
【請求項２８】
前記拘束アセンブリが、少なくとも１つの拘束部材および少なくとも１つの停止部材を含み、前記１つの拘束部材が、前記ランセットまたは作動部材のうちの１つに接続されて、これらと共に移動自在であり、前記停止部材が、前記ハウジングに固定されており、前記ランセットが前記突き刺し状態位置から前記発射準備完了状態位置に向かって移動する時に、前記停止部材が前記ハウジングに固定されており、前記１つの拘束部材に対して当接した状態に配置されるようになっている、請求項２７記載のランセット装置。
【請求項２９】
ａ）ハウジングと、
ｂ）前記ハウジング内に移動自在に配置されており、突き刺し先端を含むランセットと、
ｃ）前記ハウジングに取り付けられており、前記ランセットに解放自在かつ駆動自在に接続された作動アセンブリとを備え、
ｄ）前記作動アセンブリと前記ランセットとを移動自在かつ解放自在に相互接続する位置決めアセンブリとを備え、前記作動アセンブリが、前記ランセットを少なくとも発射準備完了状態位置に配置させるように選択的に位置決め可能となっており、
ｅ）前記位置決めアセンブリが、前記ランセットおよび前記作動アセンブリと同時に係合する間に、前記作動アセンブリが、前記ランセットを少なくとも発射準備完了状態位置に選択的に位置決めできるようになっており、
ｆ）前記ランセットに駆動自在に接続された駆動アセンブリを備え、
ｇ）前記位置決めアセンブリが、前記作動アセンブリまたはランセットのうちの少なくとも１つから解放される時に、前記駆動アセンブリと前記位置決めアセンブリとが協働して、前記ランセットを前記突き刺し状態位置に移動させるようになっており、
ｈ）前記駆動アセンブリが、前記ランセットを前記突き刺し状態位置から自動的に移動させるようになっており、前記突き刺し先端を後退状態位置に配置させるようになっており、
ｉ）更に前記ランセットの前記突き刺し状態位置から、前記発射準備完了状態位置への移動を拘束するようになっている拘束アセンブリを備えた、１回使用のランセットアセンブリ。
【請求項３０】
ａ）ハウジングと、
ｂ）前記ハウジング内に移動自在に配置され、突き刺し先端を含むランセットと、
ｃ）前記ランセットに駆動自在に係合した状態に移動自在に配置されたアクチュエータと、
ｄ）前記作動アセンブリと前記ランセットとの少なくとも係合時に前記作動アセンブリと前記ランセットとを、作動的に相互接続するようになっている少なくとも２つの係合要素とを備え、
ｅ）前記係合要素の間の前記係合と同時の前記ランセットの作動時に、前記ランセットを少なくとも一時的に発射準備完了状態に位置決めするようになっており、
ｆ）前記ランセットを駆動自在に係合する駆動アセンブリとを備え、
ｇ）前記ランセットが、前記発射準備完了状態位置に配置された後に前記係合要素の連続した作動時に、前記作動アセンブリが前記係合要素の係合を外すようになっており、
ｈ）前記係合要素の間の係合が外れた時に、前記駆動アセンブリが前記ランセットを少なくとも一時的に突き刺し状態位置に移動させるようになっている、１回使用のランセットアセンブリ。
【発明の詳細な説明】
【技術分野】
【０００１】
（発明の背景）
（優先権の主張）
本願は、２０００年１１月１０日に出願された米国特許願第09/709,738号の一部継続出願である、２００１年６月１３日に出願された現在継続中の米国特許願第60/297,826号に基づく優先権を主張するものである。
【０００２】
（技術分野）
本発明は、種々の血液サンプル採集方法のために便利かつ効果的に利用できるようになっており、１回使用されると、装置の再発射を防止し、よってランセットが使用され、潜在的に汚染される結果、患者またはその他の要員が不意に汚染されることを防止または実質的に最小とし、かつ、実質的に安全になっている１回使用のランセット装置に関する。
【０００３】
更にこの装置は、コスト的に効果的であり、完全に使い捨て状態で利用するのに容易であり、かつコンパクトとなっている。
【背景技術】
【０００４】
（関連技術の説明）
ランセットは、患者の皮膚、一般には患者の指を刺し、血液のサンプルを検査のために採集するために、病院およびその他の医療設備だけでなく、個人、例えば糖尿病患者によって広く使用されている医療機器である。かかるランセットは、広く使用されているので、種々の異なる状況において患者または医師が利用できるようになっているランセット装置は種々ある。
【０００５】
例えば代表的なランセットは、患者の皮膚に押し込まれる鋭利な突き刺し先端を備えるハウジングを備えているだけでもよい。しかし、より一般的には、ランセットを効果的に収容し、患者の皮膚へランセットを発射し、よって、サンプルを採取する者が、ランセットの先端を実際に皮膚に押し込まなくてもよいようになっている、突き刺し先端またはランセットを収容するランセット装置が、すでに開発されている。
【０００６】
種々のタイプの特殊ランセット装置のうちで、何回も、または繰り返し使用できるようになっているタイプのランセットもあれば、１回使用すると、その後、装置全体を廃棄するようになっているタイプのランセットもある。特に１回使用の使い捨てランセット装置においては、一般にハウジングを含み、このハウジングは、突き刺し先端を含み、この先端を患者の皮膚に向けて駆動し、使用後は使用済みのランセットを内部に収納するようになっている。
【０００７】
当然ながら、かかる使い捨て装置を頻繁に使用できるようにコスト的に有利とするには、発射をするために十分な機構を設けるだけでなく、コストを最小にするために、構造が過度に複雑とならないよう、装置はかなり簡単とされる傾向がある。
【発明の開示】
【発明が解決しようとする課題】
【０００８】
現在の１回使用の装置は、効果的な操作に必要な皮膚の突き刺しを行うのに一般に有効であるが、かかる１回使用の使い捨て装置は、安全な使用、および装置の廃棄を保証するのに安全上の多数の特徴的な要素を一般に含んでいない。例えば、すべてのランセット装置で解決しなければならない安全上の１つの主な問題は、汚染されたランセットが、故意に、または不本意に再使用されることである。不幸にも、現在入手できるほとんどの１回使用のランセット装置は、使用後、患者が装置を再び発射でき、後に不適性な使用が可能となっている。
【０００９】
この結果、実質的にコンパクトで、かつ使い捨て可能であり、実質的にコスト上有利に製造でき、それにもかかわらず使用上実質的に安全であり、一旦汚染された場合に再使用を確実に防止できる１回使用のランセット装置を提供することはきわめて有益である。更に、ランセットが発射準備状態となることを防止するための別の装置を設けることもできるが、ランセットが再び発射準備状態とされても更に２回目の発射ができない装置を設けることも有益であることが理解できると思う。
【課題を解決するための手段】
【００１０】
本発明は、種々の血液サンプル採集用に一般に使用されているタイプの、１回使用のランセット装置に関する。特に本発明の１回使用のランセット装置は、ハウジングと、ランセットとを備えている。突き刺し先端も含むランセットは、ハウジング内に移動自在に配置されており、少なくとも発射準備完了状態位置と、突き刺し状態位置との間で移動するような構造になっている。ランセットを少なくとも一時的に突き刺し状態位置に移動させるような駆動アセンブリが設けられている。
【００１１】
ランセットは、係止アセンブリの少なくとも１つの実施例により、発射準備完了状態位置に係止できる。本発明のこの実施例では、少なくとも１つの係止部材と対応する係合ハブとが協働するように配置されている。特に係合ハブは、少なくともランセットが発射準備完了状態位置に配置された時に、係止部材と協働自在に係合するようになっている。この結果、ハウジングおよびランセットと協働自在に係合できる係止部材および係合ハブは、ランセットとハウジングとの係合が外れるまで、ランセットを効果的に発射準備完了状態位置に維持する。このように、この実施例では、ランセットが使用準備状態にあるときは、ランセットは、使用されるまで、発射準備が完了した引き金が引かれた状態に維持される。
【００１２】
ランセットを解放するために、特に図示された実施例の係止部材と係合ハブとの間の協働的係合を外すために、本発明では、更に作動アセンブリを備えている。特に作動アセンブリは、作動状態位置と非作動状態位置との間で移動するようになっている。これに関し、作動状態位置への作動アセンブリの移動は、少なくとも係止部材と係合ハブとの相互の協働係合を解放し、その結果、ランセットを突き刺し状態位置に移動させるようになっている。
【００１３】
本発明の１回使用のランセット装置が、不本意に再使用されるのを実質的に最小にするための、拘束アセンブリも設けることが好ましい。この拘束アセンブリは、作動アセンブリが突き刺し状態位置から発射準備完了状態位置に戻り、上記作動状態位置から外れるのを実質的に防止するようになっている。
【００１４】
これに関連し、拘束アセンブリは、好ましくはハウジングに固定的に取り付けられた少なくとも１つの当接構造体状をした停止部材を含むことが望ましい。更に、この拘束アセンブリは、拘束部材を含み、この拘束部材は、少なくともランセット部材に取り付けられ、拘束部材が突き刺し状態位置から発射準備完了状態位置の方向に移動する際に、停止部材と当接状態となるようにされる。
【００１５】
これにより、本発明のランセット装置が一旦発射されると、ランセット自体が発射準備完了状態位置に戻ることができるかできないかとは関係なく、作動アセンブリまたはランセットは、その後発射できるように、非発射状態位置／発射準備完了状態位置に戻ることはできない。
【００１６】
図面だけでなく、次の詳細な説明を検討すれば、本発明の上記およびそれ以外の特徴および利点が、より明らかとなると思う。
【００１７】
本発明の特徴をより完全に理解するためには、添付図面を参照しながら、次の詳細な説明を参照する必要がある。  
【００１８】
各図において同様の符号は、同様の部品を示している。
【発明を実施するための最良の形態】
【００１９】
図面を参照すると、本発明は、全体が符号１０で示された１回使用のランセット装置に関する。この１回使用のランセット装置１０は、患者から血液のサンプルを採取するために、例えばランセット２４の突き刺し先端２５により、患者の皮膚を突き刺すのに使用されるようなになっている。
【００２０】
更にこの１回使用のランセット装置１０は、小型でコンパクトとなっており、１回しか使用できないようになっている。従って、この１回使用のランセット装置１０が、不本意に、または故意に再使用されることによる病気またはその他の汚染の広がりが防止される。
【００２１】
本発明の１回使用のランセット１０は、ハウジング２０を備えていることが好ましい。このハウジング２０は、ユーザーが容易かつ快適に保持し、操作できるように、全体が剛性でコンパクトであることが好ましい。これに関連し、ハウジング２０は、ユーザーが効果的かつ便利に保持し、操作できるような構造または外形とされる。
【００２２】
ハウジングの内部には、ランセット２４が移動自在に収容されている。特にランセット２４は、このランセットの一部と見なすべき可動本体２４”の前端部２４’が外側に延びる突き刺し先端２５を有することが好ましい。更にこのランセット２４は、後により詳細に説明するように、ハウジング２０の内部に収容され、この内部で移動するようになっている。
【００２３】
ランセット２４には、好ましくは、押圧要素５０の形態をした駆動アセンブリが、配置または接続されており、ランセット２４を、図５に良く示されている突き刺し状態位置へ移動するようになっている。
【００２４】
更にランセット２４は、図５に示される突き刺し状態位置には、一時的にしか到達せず、この状態位置の後で、図６に示されるようにハウジング２０の内部へ後退するようになっている。突き刺し先端２５が一旦後退すると、この先端は、ハウジング２０の内部に位置し、よって効果的に隠された状態となり、ユーザー、患者等と不意に接触することが防止される。
【００２５】
更に、後でも説明するように、図６の後退状態位置では、ランセット２４の有効な再発射を防止する１つ以上の構造的部品を、この１回使用のランセット装置１０内に組み込むことが好ましい。
【００２６】
ランセット２４が張力を受けた状態で、発射準備完了状態となるように移動できるようにするための作動アセンブリ４０を、１回使用のランセット装置１０が含んでいることが好ましい。更にランセット２４は、１つ以上のガイドトラック、またはウィング２６により正しく整合した状態に維持されながら、ハウジング２０の内部を移動することが好ましい。
【００２７】
更に本発明の種々の実施例では、少なくとも１つの位置決め部材を備えた位置決めアセンブリを含んでいる。この位置決め部材は、作動アセンブリ４０とランセット２４との間に、移動自在かつ取り外し自在に接続されたギア部材３０の形態でよい。特にこの位置決めアセンブリは、例えばユーザーの親指によって方向矢印３９が示すように、作動アセンブリ４０が前方に押された時に、ランセット２４を後方に移動させ、押圧要素５０を圧縮し、ランセット２４が張力を受けた状態にするようになっている。その結果、図２に示すような発射されていないランセット２４を握った時に、ユーザーは、作動アセンブリ４０を前方に押すだけである。作動アセンブリ４０は、例えば作動アクセス開口部２１を貫通することにより、ハウジング２０の内部まで少なくとも部分的に延びている。
【００２８】
ランセット２４が前方に移動されると、ランセットは、少なくとも１つの位置決め部材、例えばギア３０により後方へ向かって移動され、すなわち発射準備完了状態位置とされる。
【００２９】
最終的に作動アセンブリ４０は、後述するように、ランセット２４および作動アセンブリ４０の双方との同時相互接続から位置決め部材、すなわち、ギア３０が解放、すなわち外れる解放位置に到達するのに充分な程度、前方へ押される。作動アセンブリがこの解放ポイントに達すると、押圧要素５０によって、ランセット２４に加えられている張力により、ランセットは、図５に示す突き刺し状態位置になるように、前方へ一時的に駆動される。
【００３０】
その後、図６に示すように、押圧要素５０は、自動的に正常な弛緩位置へ戻り、ランセット２４を押し、特に突き刺し先端２５を押し、ハウジング２０の内部の、図６に示す後退位置へ戻す。この後退位置では、突き刺し先端２５はハウジング２０の内側に収容されるので、人または物体と突き刺し先端２５との不本意の接触、すなわち係合は防止される。
【００３１】
図１〜図６の実施例では、作動アセンブリ４０は外側部分４２を含み、この外側部分は、ユーザーによって、例えばユーザーの親指との係合により操作されるようになっている。例えば作動アセンブリ４０は、好ましくはガイドトラックまたはウィング４８を設けたことにより、ランセット２４の移動に対してほぼ平行な配置の、ハウジング２０に対してスライドすることが好ましい。しかし、作動アセンブリ４０の下面には、トラック要素４４が露出していることが好ましい。
【００３２】
より詳細には、トラック要素４４は、位置決めアセンブリの回転ギア３０に作動的に係合するようになっている。このギア３０は、ハウジング２０に接続されているが、内部で自由に回転する。更にランセット２４は、対応するトラック２８も含むことが好ましく、このトラック２８は相互接続回転ギア３０にも係合している。
【００３３】
従って、作動アセンブリ４０上のトラック４０が前方に移動するにつれ、ギア３０は時計回り方向に回転し、トラック２８との係合により、ランセット２４は、ハウジング２０の内部で引っ張られる。すなわち後方に移動させられる。
【００３４】
しかし、作動アセンブリ４０上のトラックは、所定の限られた長さしか有しないので、例えば図４に示すような間隙ポイントに達すると、トラック４４は、それ以上ギア３０に係合しない。
【００３５】
次に、ギア３０は回転し、押圧要素５０によって加えられる力の結果、突き刺し状態位置状態となるようにランセット２４を前方に押圧できる。これに関連し、作動アセンブリ４０の前方への押し出し移動によって、ランセット２４はまず発射準備完了状態位置に移動され、次に突き刺し状態位置に移動される。この突き刺し状態位置では、突き刺し先端２５は使用する相手の患者に係合する。
【００３６】
本発明の１回使用のランセット装置１０が再使用されるのを防止するために、１つ以上の安全構造体が設けられている。特に拘束アセンブリを設けることが好ましく、この拘束アセンブリは、ランセット２４とハウジング２０との間において、協働するように配置されている。
【００３７】
図２の実施例では、拘束アセンブリは、拘束部材を含み、この拘束部材は、ランセット２４の可動本体２４”から突出する押圧要素２７の形態をとり得る。押圧要素２７は、前方方向（方向矢印３９参照）に移動する際に、好ましくはハウジング２０の内部に固定状態に配置された停止部材、すなわち当接部３３の上を自由に通過するような構造となっている。
【００３８】
ランセット２４が突き刺し状態位置に移動される時には、押圧要素２７は拘束された状態で当接部３３には係合しない。しかし、ランセット２４が後方に後退し、ハウジング２０の内部に戻る際に、押圧要素２７と停止部材、すなわち当接部３３は、互いに拘束された状態で係合し、ランセット２４の後方への移動を制限するように相対的に配置され、協働するような構造になっている。この結果、全体に発射準備完了状態位置となるようにランセット２４を後方に押すことはできず、従ってランセットを再発射することはできない。
【００３９】
しかし、別の安全対策として、作動アセンブリ４０は、１回使用のランセット装置１０を、１回しか発射できないようになっていることが好ましい。図２の実施例において、作動アセンブリ４０は、当接ヘッド４７内にトレイル部分４６を備えることができる。特に当接ヘッド４７は、全体にアングルが付けられていることが好ましいか、またはランセット２４の発射中に、作動アセンブリ４０が前方（方向矢印３９を参照）に移動されると、ハウジング２０内の対応する当接要素３４上を自由に移動できるようになっていることが好ましい。
【００４０】
従って、作動アセンブリ４０がギア３０から解放されるか、または外れるように十分前方に移動すると、ランセット２４は突き刺し状態位置となるように前方に移動される。
【００４１】
次に、当接ヘッド４７が協働する構造のストッパー、すなわち当接要素３４上を通過する。ランセット２４が発射された後で、当接要素３４と当接ヘッド４７との拘束係合により、位置決めアセンブリのギア３０を再係合できないポイントまでの作動アセンブリ４０の後方への移動を制限する。従って、１回使用のランセット装置１０の再発射が更に防止される。
【００４２】
図７の実施例を検討すると、この作動アセンブリは、図１〜図６の実施例とは異なっており、ハウジング２０から、アクセス開口部２１’を通って外側に突出する回転取り付け作動部材３１を備えている。この実施例では、位置決めアセンブリのうちの位置決め部材は、作動部材３１の周辺の一部に沿って形成されたギアセグメント３２を含んでいる。
【００４３】
このように、方向矢印３９’が示すように、作動部材３１に押圧力を加えることによって部材３１が回転されるにつれ、ランセット２４は、後方に移動させられ、押圧要素５０による張力を受ける。しかし、最終的に大きい中心ギア３１の前方への回転は、ランセット２４上のトラック２８から、ギアセグメント３２を外すようになっている。従って、ランセット２４は解放され、ランセット２４は効果的に発射され、その突き刺し状態位置となるように移動させられる。
【００４４】
かかる実施例では、大きい中心ギア３１のその後の移動を防止するために、種々の異なる部品を使用できる。しかし、上記のように、拘束部材または押圧要素２７と係止部材、すなわち当接要素３３を含む拘束アセンブリは、ランセット２４の再発射を防止するための十分な安全性を提供している。
【００４５】
図８は、本発明の更に別の実施例を示している。この実施例では、全体が符号６０で示された後方押し込みボタンとして、作動アセンブリを構成できる。この実施例では、この後方押し込みボタン式作動アセンブリ６０は、ハウジング２０の内部に取り付けられた細長い要素６２を含み、この細長い要素６２は、その上部にギアトラック６３が形成されている。このギアトラック６３は、位置決め部材、すなわちギア３０は、移動自在に係合し、これを操作するようになっている。
【００４６】
このギア３０のランセット２４に固定されたギアトラック２８’に移動自在に係合する状態に配置されている。方向矢印３９に従って押し込みボタンの作動アセンブリ６０およびトラック６３が前方に移動することによって、ギア３０とトラック６３および２８の双方との相互接続に起因し、ランセット２４は、適当に後方に移動される。従って、ランセット２４は、駆動アセンブリの押圧要素５０に対して圧縮され、その後、解放されてランセット２４の発射が行われる。
【００４７】
この実施例では、拘束アセンブリは、図８に示すように、当接ヘッド６４の形態をした拘束部材と、細長い要素６２または反対に配置された要素６２’と関連する当接要素６５の形態をした対応する停止部材とを含むことができる。この実施例では、押し込みボタン式作動アセンブリ６０が押圧位置まで十分に前方向に移動されることによって、ランセット２４が発射されると、押し込みボタン式作動アセンブリ６０は、ハウジング２０内で圧縮位置から引き出すことはできず、すなわち、再使用することができなくなる。
【００４８】
更に図９および図１０の実施例では、作動アセンブリ４０’のランセット２４に対するある程度のスライドの安定性が得られるようにもなっている。この実施例では、ランセット２４の片側または両側からギア３０’が突出し、作動アセンブリ４０’に固定された下方に吊り下がった１つ以上のトラックセグメント４１に移動自在に係合している。ギア３０’とギアトラック４１および２８との相互接続および移動自在な係合によって、ランセット２４は、圧縮位置へ後方に対応して移動する。ランセット２４は、その後、圧縮位置から発射位置へ解放される。
【００４９】
更に図９および図１０の実施例においても、ギア３０’が有効に嵌合されるスロット２８を、ランセット２４内に設けてもよい。当然ながら、ギアトラック２８が適性に位置決めされる限り、解放状態の頂部または底部の構造も有効に達成できる。所望の場合、作動アセンブリ４０’と同じギア３０’の側にギアトラック２８を設けてもよい。しかし、この実施例のかかる変形例では、作動アセンブリ４０’を更に変形することも望ましい。
【００５０】
図９の実施例では、更に拘束アセンブリが含まれている。この拘束アセンブリは、押圧要素２７および当接部３３に加えて、またはこれらの代わりに、当接ヘッド６４’およびハウジング当接部６５’を含むことができる。従って、作動アセンブリ４０’は、図８の実施例を参照して説明したのと同じように、当接要素６４’と６５’との相互作用により、所定位置にロックでき、このロック後に、作動アセンブリ４０’を使って、ランセット２４を発射する。従って、作動アセンブリ４０、４０’の前端部に位置しているか、または後端部に位置しているかにかかわらず、作動アセンブリ４０’を効果的に固定し、本発明の１回使用のランセット装置１０の故意の、または事故による再使用を防止できるトリガーロックアセンブリを提供できることが理解できると思う。
【００５１】
更に、本発明の実施例のすべてではないにしても、少なくとも一部は、ランセットの移動中にランセット２４を安定にするようになっていることが好ましいサイドトラック、すなわちウィング２６を備えている。
【００５２】
本発明のこれまでに説明した好ましい実施例において、その細部について、多くの変形、変更および置換を行うことができるので、上に記載し、添付図面に示してあるすべての事項は、単に説明のものであって、本発明を限定するものではない。
【図面の簡単な説明】
【００５３】
【図１】本発明の１回使用のランセット装置の一実施例の後方斜視図である。
【図２】まだ発射準備が完了していない、発射されていない状態位置にある本発明の１回使用のランセット装置の一実施例の内長手方向横断面図である。
【図３】ランセットが張力を受けた状態に配置されており、すぐに発射できる状態にある、図２の実施例の図である。
【図４】ランセットを発射できるような、ランセットと作動アセンブリとの間の解放ポイントを示す、図２の実施例の側面図である。
【図５】ランセットが突き刺し状態位置にあり、作動アセンブリがロックされた位置にある状態を示す、図２の実施例の側面図である。
【図６】本発明に係わる１回使用のランセット装置の発射後の後退された状態位置を示す、図２の実施例の側面図である。
【図７】本発明の１回使用のランセット装置の別の実施例の側横断面図である。
【図８】本発明の１回使用のランセット装置の更に別の実施例の側横断面図である。
【図９】本発明の１回使用のランセット装置の更に別の実施例の側横断面図である。
【図１０】図９の実施例の内側正面図である。
【符号の説明】
【００５４】
１０    ランセット装置
２０    ハウジング
２１    アクセス開口部
２４    ランセット
２４’  前端部
２４”  可動本体
２５    突き刺し先端  
２６    ガイドトラック
３０    ギア部材      
３１    中心ギア
３２    ギアセグメント
３３    当接部
３９    方向矢印
４０    作動アセンブリ
４４    トラック
４６    トレイル部材
４７    当接ヘッド
５０    押圧要素
６０    押し込みボタン
６２    細長い要素
６３    ギアトラック
６４    当接ヘッド
６５    当接要素
【図１】
2005511191.tif 000003
【図２】
2005511191.tif 000004
【図３】
2005511191.tif 000005
【図４】
2005511191.tif 000006
【図５】
2005511191.tif 000007
【図６】
2005511191.tif 000008
【図７】
2005511191.tif 000009
【図８】
2005511191.tif 000010
【図９】
2005511191.tif 000011
【図１０】
2005511191.tif 000012
【国際調査報告】
2005511191.tif 000013